(57)【要約】【課題】  本発明の目的の１つは、誤り訂正復号処理の方法を工夫することで、消費電力を削減することである。  【解決手段】  本発明においては、データの新規送信についての新規受信データと、該データの再送信についての再送受信データとを合成してから誤り訂正復号を行う無線通信装置において、該新規受信データを記憶する記憶部と、該再送受信データについての受信受信品質又は該再送受信データと該記憶部に記憶した新規受信データとを合成して得られた合成データについての受信受信品質を評価する受信受信品質評価部と、該評価の結果に応じて、該再送受信データ又は合成データについての復号を行うか否かの制御を行う制御部、を備えたことを特徴とする無線通信装置。を用いる。【選択図】      図５
2006129018.tif 000002
【特許請求の範囲】
【請求項１】
データの新規送信についての新規受信データと、該データの再送信についての再送受信データとを合成してから誤り訂正復号を行う無線通信装置において、
該新規受信データを記憶する記憶部と、該再送受信データについての受信品質又は該再送受信データと該記憶部に記憶した新規受信データとを合成して得られた合成データについての受信品質を評価する受信品質評価部と、
該評価の結果に応じて、該再送受信データ又は該合成データについての復号を行うか否かの制御を行う制御部、
を備えたことを特徴とする無線通信装置。
【請求項２】
前記制御部は、前記再送受信データについての受信品質又は前記合成データについての受信品質が所定の基準値以下の場合に、該再送受信データ又は該合成データについての復号を行わないように制御する、
ことを特徴とする請求項１記載の無線通信装置。
【請求項３】
データの新規送信についての新規受信データと、該データの再送信についての再送受信データとを合成してから誤り訂正復号を行う無線通信装置において、
該新規受信データを記憶する記憶部と、該新規受信データについての第１受信品質と、該再送受信データについての第２受信品質又は該新規受信データと該再送受信データとの合成データについての第３受信品質とを評価する受信品質評価部と、
該第２受信品質又は該第３受信品質が該第１受信品質に対して所定の程度で劣る場合に、該再送受信データ又は該合成データについての復号を行わないように制御する制御部、
を備えたことを特徴とする無線通信装置。
【請求項４】
前記受信品質の評価は、受信信号が各信号点を示す確からしさにより行われる、
ことを特徴とする請求項１又は３に記載の無線通信装置。
【請求項５】
データの新規送信についての新規受信データと、該データの再送信についての再送受信データとを合成してから誤り訂正復号を行う無線通信装置において、
該新規受信データを記憶する記憶部と、該新規受信データについての第１受信品質と、前記再送受信データについての第２受信品質又は該新規受信データと該再送受信データとの合成データについての第３受信品質とを評価する受信品質評価部と、
該第２受信受信品質又は該第３受信品質が該第１受信品質に対して所定の程度で劣る場合に、該合成データではなく、該再送受信データを復号するように制御する制御部と、
を備えたことを特徴とする無線通信装置。
【請求項６】
データの新規送信についての新規受信データと、該データの再送信についての再送受信データとを合成してから誤り訂正復号を行う無線通信装置において、
前記新規受信データを記憶する記憶部と、該新規受信データについての第１受信品質と、前記再送受信データについての第２受信品質とを評価する受信品質評価部と、
該第２受信品質が該第１受信品質に対して所定の程度で劣る場合に、前記記憶部に記憶した新規受信データを１／ｎ（ｎは１より大きい数）倍して前記再送受信データと合成してから復号するように制御する制御部、
を備えたことを特徴とする無線通信装置。
【請求項７】
前記ｎは、（前記第２受信受信品質）／（前記第１受信受信品質）に相当する、
ことを特徴とする請求項６記載の無線通信装置。
【請求項８】
データの新規送信についての新規受信データと、該データの再送信についての再送受信データとを合成してから誤り訂正復号を行う無線通信装置において、
前記新規受信データを記憶する記憶部と、該新規受信データについての第１受信品質と、前記再送受信データについての第２受信品質とを評価する受信品質評価部と、
該第２受信品質が該第１受信品質に対して所定の程度で劣る場合に、前記合成において、前記新規受信データのうち前記再送受信データに含まれるデータ部分は、前記新規受信データを前記再送信データに置き換える制御を行う制御部と、
を備えたことを特徴とする無線通信装置。
【請求項９】
データの新規送信についての新規受信データと、該データの再送信についての再送受信データとを合成してから誤り訂正復号を行う無線通信装置において、
前記新規受信データを記憶する記憶部と、該新規受信データについての第１受信品質と、前記再送受信データについての第２受信品質とを評価する受信品質評価部と、
該第２受信品質が該第１受信品質に対して所定の程度で劣る場合に、前記新規受信データには含まれるが、前記再送受信データに含まれないデータ部分については、前記合成時に前記新規受信データを１／ｎ（ｎは１より大きい数）倍して合成する制御を行う制御部と、
を備えたことを特徴とする無線通信装置。
【請求項１０】
データの新規送信についての新規受信データと、該データの再送信についての再送受信データとを合成してから誤り訂正復号を行う無線通信装置において、
前記新規受信データを記憶する記憶部と、該新規受信データについての第１受信品質と、前記再送受信データについての第２受信品質とを評価する受信品質評価部と、
該第２受信品質が該第１受信品質に対して所定の程度で劣る場合に、前記再送受信データを前記記憶部に記憶しておき、更なる再送信により受信したデータと該記憶部に記憶した該再送受信データとを合成してから復号するように制御を行う制御部と、
を備えたことを特徴とする無線通信装置。
【発明の詳細な説明】
【技術分野】
【０００１】
本発明は、無線通信装置及び移動局に関する。無線通信装置及び移動局が用いられるシステムの代表例としては、Ｗ−ＣＤＭＡ（ＵＭＴＳ）移動通信システムが挙げられる。
【背景技術】
【０００２】
現在、３ＧＰＰ（３rd  Generation Partnership Project）で、第３世代移動通信システムの１つの方式であるＷ−ＣＤＭＡ（ＵＭＴＳ）方式の標準化が進められている。そして、標準化のテーマの１つとして下りリンクで最大約１４Ｍｂｐｓの伝送速度を提供するＨＳＤＰＡ（High Speed Downlink Packet Access）が規定されている。
【０００３】
ＨＳＤＰＡは、適応符号化変調方式を採用しており、例えば、ＱＰＳＫ変調方式(scheme)と１６値ＱＡＭ方式とを基地局、移動局間の無線環境に応じて適応的に切りかえることを特徴としている。
【０００４】
また、ＨＳＤＰＡは、Ｈ−ＡＲＱ（Hybrid Automatic Repeat reQuest）方式を採用している。Ｈ−ＡＲＱでは、移動局が基地局からの受信データについて誤りを検出した場合に、当該移動局から基地局へ再送信の要求を行うことで、基地局からデータの再送信が行われる。
【０００５】
そして、移動局は、既に受信済みのデータと、再送信された受信データとの双方を用いて誤り訂正復号化を行う。このようにＨ−ＡＲＱでは、既に受信したデータを有効に利用することで、合成利得を得て、再送回数を抑えることができる。
【０００６】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００７】
ＨＳ−ＳＣＣＨ、ＨＳ−ＰＤＳＣＨは、双方とも下り方向(downlink)（即ち、基地局から移動局への方向）の共通チャネルであり、ＨＳ−ＳＣＣＨは、ＨＳ−ＰＤＳＣＨにて送信するデータに関する各種パラメータを送信するための制御チャネルである。各種パラメータとしては、例えば、どの変調方式を用いてＨＳ−ＰＤＳＣＨによりデータを送信するかを示す変調タイプ情報や、拡散符号の割当て数（コード数）、送信データに対して施したレートマッチング処理のパターン等の情報が挙げられる。
【０００８】
一方、ＨＳ−ＤＰＣＣＨは、移動局から基地局への方向である上り方向(uplink)の個別の制御チャネルであり、ＨＳ−ＰＤＳＣＨを介して受信したデータの受信可、否に応じてそれぞれＡＣＫ信号、ＮＡＣＫ信号を移動局が基地局に対して送信する場合に用いられる。
【０００９】
尚、移動局がデータの受信に失敗した場合（受信データがＣＲＣエラーである場合等）は、ＮＡＣＫ信号が移動局から送信されるので、基地局は再送制御を実行することとなる。
【００１０】
その他、ＨＳ−ＤＰＣＣＨは、基地局からの受信信号の受信品質（例えばＳＩＲ）を測定した移動局が、その結果をＣＱＩ（Channel Quality Indicator）として基地局に定期的に送信するためにも用いられる。基地局は、受信したＣＱＩにより、下り方向の無線環境の良否を判断し、良好であれば、より高速にデータを送信可能な変調方式等に切りかえる。無線環境が良好でなければ、基地局は、より低速にデータを送信する変調方式等に適応的に切りかえる。
・「チャネル構造」
次に、ＨＳＤＰＡにおけるチャネル構成について説明する。
【００１１】
図１は、ＨＳＤＰＡにおけるチャネル構成を示すための図である。尚、Ｗ−ＣＤＭＡは、符号分割多重方式を採用するため、各チャネルは符号により分離されている。
【００１２】
まず、説明していないチャネルについて簡単に説明しておく。
ＣＰＩＣＨ（Common Pilot Channel）、Ｐ−ＣＣＰＣＨ（Primary Common Control Physical Channel）は、それぞれ下り方向の共通チャネルである。
【００１３】
ＣＰＩＣＨは、移動局においてチャネル推定、セルサーチ、同一セル内における他の下り物理チャネルのタイミング基準として利用されるチャネルであり、いわゆるパイロット信号を送信するためのチャネルである。Ｐ−ＣＣＰＣＨは、報知情報を送信するためのチャネルである。尚、図示していないが、各スロットの先頭部分では、セルサーチ用のＳＣＨが送信されているが、他のチャネルに対する直交性がないため他のチャネルに対する干渉源となっている。
【００１４】
次に、各チャネルのタイミング関係について説明する。
図１のように、各チャネルは、１５個のスロットにより１フレーム（１０ｍｓ）を構成している。先に説明したように、ＣＰＩＣＨは他のチャネルの基準として用いられるため、Ｐ−ＣＣＰＣＨ及びＨＳ−ＳＣＣＨのフレームの先頭はＣＰＩＣＨのフレームの先頭と一致している。ここで、ＨＳ−ＰＤＳＣＨのフレームの先頭は、ＨＳ−ＳＣＣＨ等に対して２スロット遅延している。これは、移動局がＨＳ−ＰＤＳＣＨの復調を行うために必要となる、変調タイプ情報や、拡散コード情報を予めＨＳ−ＳＣＣＨを介して予告しておくためである。従って移動局は、ＨＳ−ＳＣＣＨで予告されたこれらの情報に従って、対応する復調方式、逆拡散コードを選択してＨＳ−ＰＤＳＣＨの復調等の処理を実行するのである。
【００１５】
また、ＨＳ−ＳＣＣＨ、ＨＳ−ＰＤＳＣＨは、３スロットで１サブフレームを構成している。
【００１６】
以上が、ＨＳＤＰＡのチャネル構成の簡単な説明である。
次に、ＨＳ−ＳＣＣＨで送信されるデータの内容及び符号化手順について説明する。
・「ＨＳ−ＳＣＣＨで送信されるデータ」
ＨＳ−ＳＣＣＨで送信されるのは、次のデータである。各データは、２スロット遅れで送信されるＨＳ−ＰＤＳＣＨの受信処理に用いられる。
（１）Ｘccs（Channelization Code Set information）
（２）Ｘms（Modulation Scheme information）
（３）Ｘtbs（Transport Block Size information）
（４）Ｘhap（Hybrid ARQ Process information）
（５）Ｘrv（Redundancy and constellation Version）
（６）Ｘnd（New Data indicator）
（７）Ｘue（User Equipment identity）
（１）〜（７）について説明する。
（１）のＸccsは、ＨＳ−ＰＤＳＣＨでデータを送信する際に用いる拡散符号を示すデータ（例えば、マルチコード数とコードオフセットの組み合わせを示すデータ）で、７ビットで構成される。
（２）のＸmsは、ＨＳ−ＰＤＳＣＨで用いる変調方式がＱＰＳＫ、１６値ＱＡＭのいずれかであることを示すデータで１ビットで構成される。
（３）のＸtbsは、ＨＳ−ＰＤＳＣＨで伝送されるデータのトランスポートブロックサイズ（ＨＳ−ＰＤＳＣＨの１サブフレームで送信するデータサイズ）を算出するために用いられるデータで、６ビットで構成される。
（４）のＸhapは、Ｈ−ＡＲＱのプロセス番号を示すデータで３ビットで構成される。基地局は、基本的には、ＡＣＫ、ＮＡＣＫを受信するまでは移動局でデータの受信ができたかどうかの受信可否判断ができない。しかし、ＡＣＫ、ＮＡＣＫを受信するまで新規データブロックの送信を待つこととすると、伝送効率が低下する。そこで、ＡＣＫ、ＮＡＣＫの受信前に新規データブロックの送信を可能とすべく、サブフレームで送信するデータブロックの各々にプロセス番号を定義し、プロセス番号により移動局は受信処理を切り分けて行なうようにするのである。即ち、基地局は、再送信を行なう場合には、先に送った伝送ブロックに付与したプロセス番号と同一のプロセス番号を付与するという条件のもと、伝送ブロックのそれぞれについてプロセス番号を対応させて、予めＨＳ−ＳＣＣＨを介してＸhapとして送信する。
【００１７】
従って、移動局は受信したＸhapに基づいて、ＨＳ−ＰＤＳＣＨを介して受信したデータを分類し、ＨＳ−ＳＣＣＨにより同一のプロセス番号が通知されたデータ流の中で、後述するＸndに基づく、新規送信、再送信の識別を行なって、新規データと再送データの合成等（Ｈ−ＡＲＱ処理等）を行なうこととなる。
（５）のＸrvは、ＨＳ−ＰＤＳＣＨの再送信時における冗長バージョン（ＲＶ）パラメータ（ｓ、ｒ）、コンスタレーションバージョンパラメータ（ｂ）を示すデータで、３ビットで構成される。
【００１８】
Ｘｒｖについては、新規送信、再送信でパラメタ−を更新する第１の手法（Incremental Redundancy）と、新規送信と再送信でパラメタ−を変えない第２の手法（Chase Combining）とがある。
【００１９】
第１の手法はパンクチャパターン等が変わるため、新規送信と再送信で送信される対象のビットが変化するが、第２の手法は変化しないこととなる。
（６）のＸndは、ＨＳ−ＰＤＳＣＨの送信ブロックが新規ブロックか再送ブロックかを示すデータで、１ビットで構成される。例えば、新規ブロックを送信する場合に、０から１、または１から０に切り換え、再送時には切り換えることなく、前と同じ値を用いる。
【００２０】
例えば、新規送信、再送信、新規送信、再送信、再送信、新規送信を順に行なう場合は、１、１、０、０、０、１といったようにＸndが変化することとなる。
（７）のＸueは、移動局の識別情報を示すデータで、１６ビットで構成される。
・「ＨＳ−ＳＣＣＨで送信されるデータの符号化」
図２は、ＨＳ−ＳＣＣＨで送信される上記（１）〜（７）の各データの符号化手順（符号化装置）を示す図であり、主に基地局で実行される。
【００２１】
図において、１は符号化部、２はレートマッチング処理部、３は乗算器、４はＣＲＣ演算部、５は乗算器、６は符号化部、７はレートマッチング処理部、８は符号化部、９はレートマッチング処理部を示す。
【００２２】
次に各ブロックの動作について説明する。
【００２３】
７ビットで表現される（１）Ｘccs（ｘ1,1〜ｘ1,7）と１ビット表現される（２）Ｘms（ｘ1,8）は、合計８ビットのデータとして符号化部１に入力される。ここで、添え字の前半の数は、第１スロットで送信されるデータに関するものであることを意味し、カンマ（,）で区切られた後半の数は何ビット目かを示している。
【００２４】
さて、符号化部１は、入力されたデータに８ビットのテールビットを付加し、合計１６ビットに対して符号率１／３の畳み込み符号化処理を施す。従って、符号化されたデータは、合計４８ビットとなり、ｚ1,1〜ｚ1,48としてレートマッチング処理部２に与えられる。レートマッチング処理部２は、所定のビットをパンクチャ、レピテッション処理等して、第１スロットに収まるビット数に調整（ここでは、４０ビットとする）して出力する（ｒ1,1〜ｒ1,40）。
【００２５】
レートマッチング処理部２からのデータは、乗算器３によりｃ1〜c40との乗算がなされ、s1,1〜s1,40として出力され、図１のＨＳ−ＳＣＣＨにおける、１サブフレームの先頭のスロットである第１スロット目（第１パート）で送信される。
【００２６】
ここで、ｃ1〜c40は、（７）Ｘue（ｘue1〜ｘue16）からのデータを符号化部８により、８ビットのテールビットの付加の後、符号化率１／２で畳み込み符号化して得られたｂ1〜b48を、更に、レートマッチング処理部９で、レートマッチング処理部２と同様のビット調整を行なって得たものである。
【００２７】
一方、６ビットの（３）Ｘtbs（ｘ2,1〜ｘ2,6）、３ビットの（４）Ｘhap（ｘ2,7〜ｘ2,9）、３ビットの（５）Ｘrv（ｘ2,10〜ｘ2,12）、１ビットの（６）Ｘnd（ｘ2,13）は、合計１３ビットのｙ2,1〜ｙ2,13として、更に、１６ビットのy2,14〜y2,29が付加することで合計２９ビットのy2,1〜y2,29として符号化部６に入力される。
【００２８】
ここで、ｙ2,14〜y2,29は、（１）〜（６）の合計２１ビットに対してＣＲＣ演算部４において、ＣＲＣ演算処理がなされ、演算結果としてのｃ1〜ｃ16に（７）Ｘue（ｘue1〜ｘue16）を乗算して得られたものである。
【００２９】
さて、符号化部６に入力されたy2,1〜y2,29は、８ビットのテールビットが付加された後に、符号化率１／３で畳込み符号化されｚ2,1〜ｚ2,111の１１１ビットのデータとしてレートマッチング処理部７に入力される。
【００３０】
レートマッチング処理部７は、上述したパンクチャ等の処理によりｒ2,1〜r2,80の８０ビットを出力し、これらのｒ2,1〜r2,80は、図１のＨＳ−ＳＣＣＨにおける、１サブフレーム内における２番目、３番目のスロット（第２パート）で送信される。
【００３１】
以上のように、（１）、（２）のデータは、第１パートで送信、（３）〜（６）は第２パートで送信するといったように、別個のスロットとして区別して送信するが、これらに対しては、共通にＣＲＣ演算がなされて、第２パート内でＣＲＣ演算結果として送信されるため、第１、第２パートの双方を完全に受信することで受信エラーの検出が可能となる。
【００３２】
また、第１スロットで送信するデータに対しては、符号化部１による畳込み符号化後、乗算器３により（７）Ｘueを乗算しているため、他局宛てのデータを第１スロットで受信した場合には、復号過程で生成されるパスメトリック値等が自局宛てに比べて小さなものとなるため、パスメトリック値と基準値との比較により自局宛てでない可能性が高いことがわかることとなる。
・「ＨＳ−ＰＤＳＣＨで送信されるデータの符号化」
次に、送信データがＨＳ−ＰＤＳＣＨを介して送信されるまでの過程についてブロック図を用いながら説明する。
【００３３】
図３は、本発明に係る送信装置を示す図である。
【００３４】
尚、送信装置の１例として、先に説明したＨＳＤＰＡに対応したＷ−ＣＤＭＡ通信システムの送信装置（無線基地局）について説明することとする。他の通信システムにおける送信装置に適用することも可能である。
【００３５】
図において、１０はＨＳ―ＰＤＳＣＨを介して送信する伝送データ（１サブフレーム内で送信するデータ）を順次出力するとともに各部（１１〜２６等）の制御を行う制御部を示す。図２において説明した（１）〜（７）の各値は、この制御部１０が与えている。
【００３６】
尚、ＨＳ−ＰＤＳＣＨは、共通チャネルであるから、順次出力される伝送データは、それぞれ異なる移動局宛てであることが許容される。
【００３７】
１１は、順次入力される伝送データ（同じ無線フレーム内で送信するデータ）に対してＣＲＣ演算を行い、この伝送データの最後尾にＣＲＣ演算結果を付加するＣＲＣ付加（CRC attachment）部、１２は、ＣＲＣ演算結果が付加された伝送データに対して、ビット単位でスクランブルをかけることで、送信データにランダム性を与えるビットスクランブル（Bit scrambling）部を示す。
【００３８】
１３は、次に行うチャネル符号化において、符号化の対象とするデータ長が長くなりすぎることで、受信側の復号器の演算量が増大することを防止する等の目的から、入力されたビットスクランブル後の伝送データが、所定のデータ長を超える場合に、分割（例えば、２等分）する符号ブロック分割（Code block segmentation）部を示す。図では、入力データ長が所定のデータ長を超えており、２等分（第１データブロック、第２データブロックに分割）した場合の出力を示している。もちろん分割数として２以外の分割数とする例も考えられるし、また、等分ではなく、異なるデータ長に分割する例も考えられる。
【００３９】
１４は、分割された各データについてそれぞれ、別個に誤り訂正符号化処理を施すチャネル符号化（Channel coding）部を示す。尚、チャネル符号化部１４としては、ここではターボ符号器を用いることとする。
【００４０】
従って、その第１の出力は、第１ブロックについて、符号化対象のデータと同じデータである重要な組織ビット（Ｕ）と、組織ビット（Ｕ）を畳み込み符号化して得られる第１冗長ビット（Ｕ'）と、組織ビットをインタリーブ処理してから同様に畳み込み符号化して得られる第２冗長ビット（Ｕ''）とが含まれる。同様に、第２の出力には、第２ブロックについての組織ビット（Ｕ）、第１冗長ビット（Ｕ'）、第２冗長ビット（Ｕ''）が含まれる。
【００４１】
１５は、チャネル符号化部１４（ターボ符号器）からシリアル入力された第１ブロック及び第２ブロックについて、組織ビット（Ｕ）、第１冗長ビット（Ｕ'）、第２冗長ビット（Ｕ''）のそれぞれに分離して出力するビット分離（Bit separation）部を示す。
【００４２】
１６は、入力されたデータ（複数のブロックに分割している場合は、分割されたブロックのデータの全て）が、後段のバーチャルバッファ部１７の所定の領域に収まるデータ量となるように、入力データに対してパンクチャ処理（間引き）等のレートマッチング処理を行う第１レートマッチング（1st rate matching）部を示す。
【００４３】
１７は、制御部１０により、送信対象の移動局の受信処理能力に応じた領域を設定され、その領域内に、第１レートマッチング部１６により、レートマッチング処理されたデータを格納するバーチャルバッファ（Buffer）部を示す。再送信時には、格納したデータを出力することで、ＣＲＣ付加部１１〜第１レートマッチング部１６までの処理を省略することができるが、再送信時に符号化率を変更したい場合等には、格納したデータを使わず、制御部１０で記憶している送信データを再度出力することが望ましい。尚、バーチャルバッファ部１７としてバッファを実際には設けず、そのままスルーとすることもできる。その場合、再送データは、制御部１０から再度出力することとなる。
【００４４】
１８は、制御部１０により、指定された１サブフレーム内に収納可能なデータ長に調整するための第２レートマッチング（2nd rate matching）部を示し、パンクチャ処理（間引き）、レピテション処理（繰り返し）を施すことで、指定されたデータ長となるように、入力されたデータのデータ長を調整する。
【００４５】
尚、この第２レートマッチング部１８では、先に説明したＲＶパラメータに応じたレートマッチング処理を行なう。
【００４６】
即ち、ＲＶパラメータにより、ｓ＝１の場合は、組織ビットをなるべく多く残すようにレートマッチング処理が施され、ｓ＝０の場合は、これに対して組織ビットが減少して、冗長ビットがより多く残ることが許容される。また、ｒに従ったパターンによりパンクチャ処理やレートマッチング処理が施される。
【００４７】
１９は、第２レートマッチング部１９からのデータを複数のビット列に配置するビット収集(Bit collection)部を示す。即ち、第１ブロックのデータと、第２ブロックのデータとを所定のビット配置方法により配置することで、それぞれ位相平面上における信号点を示すための複数のビット列を出力する。尚、この例では、１６値ＱＡＭ変調方式を用いるため、ビット列は４ビットで構成されるが、６４値ＱＡＭ変調方式を用いる場合はビット列は６ビット、ＱＰＳＫ変調方式を用いる場合はビット列は２ビットにする。
【００４８】
２０は、制御部１０により通知された拡散符号の数（コード数）と同じ数の系統に、ビット列を分割して出力する。即ち、制御部１０により通知された送信パラメータにおけるコード数がＮの場合、入力されたビット列を順に１〜Ｎの系統に振り分けて出力する物理チャネル分割（Physical channel segmentation）部を示す。
【００４９】
２１は、Ｎ系統のビット列のそれぞれに対して、インタリーブ処理を施して出力するインタリーブ（Interleaving）部を示す。
【００５０】
２２は、入力された各ビット列に対してビット列内でのビットの再配置が可能なコンスタレーション再配置（Constellation re-arrangement for 16 QAM）部を示す。先に説明したコンスタレーションバージョンに従って、ビットの再配置を行なう。ビットの再配置例としては、上位ビットと下位ビットを入れ替えるなどの処理であり、複数のビット列について同じ法則でビット入れ替えを行うことが好ましい。
【００５１】
２３は、Ｎ系統のビット列を、後段の拡散処理部２４の対応する拡散部に振り分ける物理チャネルマッピング（Physical channel mapping）部を示す。
【００５２】
２４は、複数の拡散部を備え、それぞれ、Ｎ系統の各ビット列に基づき対応するＩ、Ｑの電圧値を出力し、それぞれ異なる拡散コードにより拡散処理を施して出力する拡散処理(Spreading)部を示す。
【００５３】
２５は、拡散処理部２４により拡散された各信号を合成し、これに基づいて、例えば１６値ＱＡＭ変調方式等の振幅位相変調を施し、可変利得増幅器により増幅し、更に、無線信号に周波数変換してからアンテナ側に出力して無線信号として送信可能とする変調（Modulating）部を示す。
【００５４】
尚、ＨＳＤＰＡにおいては、同じタイミングのサブフレームにおいても拡散符号により他の移動局宛ての信号を多重することができるため、１０〜２５及び可変利得増幅器等のセット（送信セットと称することとする）を複数備え、可変利得増幅器の出力信号をそれぞれ合成してから、共通に周波数変換してからアンテナ側に送信することが好ましい。もちろん、符号により分離される必要があるので、各送信セットにおける拡散処理部２４で用いられる拡散符号はそれぞれ分離可能なように異なる拡散符号を用いることとなる。
【００５５】
２６は、受信部を示し、ＨＳ−ＤＰＣＣＨ等を介して受信した移動局からの信号を受信し、ＡＣＫ、ＮＡＣＫ信号、ＣＱＩ等を制御部１０に与える。
【００５６】
上述したように、ＡＣＫ信号を受信すると次の新規データを送信するが、ＮＡＣＫ信号や、所定時間内に応答がない場合は、送信したデータの再送信を行うように制御部１０は再送制御を行なう。尚、再送信は、設定された最大再送回数に制限され、最大再送回数に達しても移動局からＡＣＫ信号を受信できない場合は、次の新規データの送信に切り換えて送信するように制御する。
【００５７】
尚、最大再送回数を定義しない場合は、新規送信からタイマをスタートさせ、所定時間経過したことを検出してもＡＣＫ信号を受信できない場合に、次の新規データの送信に切り換えることもできる。
【００５８】
以上が、各部の名称とその動作の説明である。
【００５９】
上述した、ＨＳＤＰＡに関連する事項は、例えば次の非特許文献１、２に開示されている。
【非特許文献１】3G TS 25.212（3rd Generation Partnership Project: Technical SpecificationGroup Radio Access Network ; Multiplexing and channel coding (FDD))
【非特許文献２】3G TS 25.214（3rd Generation Partnership Project: Technical SpecificationGroup Radio Access Network ; Physical layer procedures (FDD))
【発明の開示】
【発明が解決しようとする課題】
【００６０】
先に説明した背景技術によれば、無線通信装置は新規送信か再送信かを識別するためのデータ（Ｘnd）等を用いて、受信データ（ＨＳ−ＰＤＳＣＨ）が新規送信か、再送信かを判断し、新規送信であると判断した場合は、受信した新規データを誤り訂正復号処理する。
【００６１】
ここで、エラーが検出された場合は、受信した新規データを記憶しておき、この新規データについての再送信を受信して得られた受信データと記憶済みの新規データとを合成してから再度誤り訂正復号処理を行うため、新規送信、再送信を問わず、毎回、誤り訂正復号処理を実行することとなる。
【００６２】
そこで、本発明の目的の１つは、誤り訂正復号処理の方法を工夫することで、消費電力を削減することである。
【００６３】
また、新規送信により受信した第１のデータの尤度は高かったが、誤り訂正復号後のデータがエラーとなってしまった場合に、再送信により受信した第２のデータについての尤度が低いと、合成後も第１のデータの尤度が支配的であるため、合成後のデータを誤り生成復号しても、第１のデータと同様にエラーとなってしまうことがある。
【００６４】
そこで、本発明の目的の１つは、受信品質（尤度）が高いにも係わらず誤り訂正復号により誤りが解消されなかった受信データが引き起こす悪影響を是正することである。
【００６５】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００６６】
（１）本発明においては、データの新規送信についての新規受信データと、該データの再送信についての再送受信データとを合成してから誤り訂正復号を行う無線通信装置において、該新規受信データを記憶する記憶部と、該再送受信データについての受信品質又は該再送受信データと該記憶部に記憶した新規受信データとを合成して得られた合成データについての受信品質を評価する受信品質評価部と、該評価の結果に応じて、該再送受信データ又は該合成データについての復号を行うか否かの制御を行う制御部、を備えたことを特徴とする無線通信装置を用いる。
（２）また、本発明においては、前記制御部は、前記再送受信データについての受信品質又は前記合成データについての受信品質が所定の基準値以下の場合に、該再送受信データ又は該合成データについての復号を行わないように制御する、ことを特徴とする（１）記載の無線通信装置を用いる。
（３）本発明においては、データの新規送信についての新規受信データと、該データの再送信についての再送受信データとを合成してから誤り訂正復号を行う無線通信装置において、該新規受信データを記憶する記憶部と、該新規受信データについての第１受信品質と、該再送受信データについての第２受信品質又は該新規受信データと該再送受信データとの合成データについての第３受信品質とを評価する受信品質評価部と、該第２受信品質又は該第３受信品質が該第１受信品質に対して所定の程度で劣る場合に、該再送受信データ又は該合成データについての復号を行わないように制御する制御部、を備えたことを特徴とする無線通信装置を用いる。
（４）また、本発明においては、前記受信品質の評価は、受信信号が各信号点を示す確からしさにより行われる、ことを特徴とする（１）又は（３）に記載の無線通信装置を用いる。
（５）本発明においては、データの新規送信についての新規受信データと、該データの再送信についての再送受信データとを合成してから誤り訂正復号を行う無線通信装置において、該新規受信データを記憶する記憶部と、該新規受信データについての第１受信品質と、前記再送受信データについての第２受信品質又は該新規受信データと該再送受信データとの合成データについての第３受信品質とを評価する受信品質評価部と、該第２受信受信品質又は該第３受信品質が該第１受信品質に対して所定の程度で劣る場合に、該合成データではなく、該再送受信データを復号するように制御する制御部と、を備えたことを特徴とする無線通信装置を用いる。
（６）本発明においては、データの新規送信についての新規受信データと、該データの再送信についての再送受信データとを合成してから誤り訂正復号を行う無線通信装置において、前記新規受信データを記憶する記憶部と、該新規受信データについての第１受信品質と、前記再送受信データについての第２受信品質とを評価する受信品質評価部と、該第２受信品質が該第１受信品質に対して所定の程度で劣る場合に、前記記憶部に記憶した新規受信データを１／ｎ（ｎは１より大きい数）倍して前記再送受信データと合成してから復号するように制御する制御部、を備えたことを特徴とする無線通信装置を用いる。
（７）また、本発明においては、前記ｎは、（前記第２受信受信品質）／（前記第１受信受信品質）に相当する、ことを特徴とする（６）記載の無線通信装置を用いる。
（８）本発明においては、データの新規送信についての新規受信データと、該データの再送信についての再送受信データとを合成してから誤り訂正復号を行う無線通信装置において、前記新規受信データを記憶する記憶部と、該新規受信データについての第１受信品質と、前記再送受信データについての第２受信品質とを評価する受信品質評価部と、該第２受信品質が該第１受信品質に対して所定の程度で劣る場合に、前記合成において、前記新規受信データのうち前記再送受信データに含まれるデータ部分は、前記新規受信データを前記再送信データに置き換える制御を行う制御部と、を備えたことを特徴とする無線通信装置を用いる。
（９）データの新規送信についての新規受信データと、該データの再送信についての再送受信データとを合成してから誤り訂正復号を行う無線通信装置において、前記新規受信データを記憶する記憶部と、該新規受信データについての第１受信品質と、前記再送受信データについての第２受信品質とを評価する受信品質評価部と、該第２受信品質が該第１受信品質に対して所定の程度で劣る場合に、前記新規受信データには含まれるが、前記再送受信データに含まれないデータ部分については、前記合成時に前記新規受信データを１／ｎ（ｎは１より大きい数）倍して合成する制御を行う制御部と、を備えたことを特徴とする無線通信装置を用いる。
（１０）本発明においては、データの新規送信についての新規受信データと、該データの再送信についての再送受信データとを合成してから誤り訂正復号を行う無線通信装置において、前記新規受信データを記憶する記憶部と、該新規受信データについての第１受信品質と、前記再送受信データについての第２受信品質とを評価する受信品質評価部と、該第２受信品質が該第１受信品質に対して所定の程度で劣る場合に、前記再送受信データを前記記憶部に記憶しておき、更なる再送信により受信したデータと該記憶部に記憶した該再送受信データとを合成してから復号するように制御を行う制御部と、を備えたことを特徴とする無線通信装置を用いる。
【発明の効果】
【００６７】
本発明にかかる通信装置によれば、受信エラーの発生を低減することができる。
【００６８】
また、本発明に係る通信装置によれば、受信品質（尤度）が高いにも係わらず誤り訂正復号により誤りが解消されなかった受信データが引き起こす悪影響を是正することができる。
【発明を実施するための最良の形態】
【００６９】
以下、図面を参照することにより、本発明の実施の形態について説明する。
【００７０】
〔ａ〕第１実施形態の説明
この実施形態では、エラーのない誤り訂正復号結果が得られない可能性が高いことを検出した場合は、誤り訂正復号処理を行わないようにすることで、無線通信装置の消費電力を削減することとする。
【００７１】
図４は、本発明に係る通信装置を示す図である。
【００７２】
尚、通信装置の１例として、先に説明したＨＳＤＰＡに対応したＷ−ＣＤＭＡ（ＵＭＴＳ）通信システムにおける移動局について説明することとする。他の通信システムにおける通信装置に適用することも可能である。
【００７３】
図において、３０はアンテナ、３１はアンテナ３０を送信、受信で共用するためのデュプレクサ、３２はＨＳ−ＳＣＣＨ受信処理部、３３はＨＳ−ＰＤＳＣＨ受信処理部、３４は、ＨＳ−ＤＰＣＣＨ等の送信を行う送信処理部、３５は各部の制御を行う制御部を示す。尚、制御部３５は、受信データブロックに含まれるＴＳＮ（トランスポートシーケンスナンバ）に基づいて受信データブロックの並び替えを行う並び替え（リオーダリング）処理機能、並び替え処理がなされた後のデータブロックの処理を行うＲＬＣレイヤ処理機能も備えている。
【００７４】
次に、図４に示した無線装置（移動局）の動作について説明する。
・「データの新規送信時の動作」
無線基地局から送信された信号（図１〜３参照）は、移動局のアンテナ３０によって受信される。
【００７５】
アンテナ３０によって受信された信号は、ＨＳ−ＳＣＣＨ受信処理部３２、ＨＳ−ＰＤＳＣＨ受信処理部３３に入力される。
【００７６】
尚、移動局は、他のチャネルの受信処理を行なう受信処理部も有するが、ここではその説明を省略する。
【００７７】
ＨＳ−ＳＣＣＨは、先に説明したＨＳ−ＳＣＣＨを受信し、ビタビ復号等の復号処理を施すことにより、自局宛てに送信されたかどうかを検出する。
【００７８】
ここで、自局宛てに送信されたことを検出した場合は、２スロット遅れてのＨＳ−ＰＤＳＣＨの受信処理に必要となる、第１パートに含まれるＸｃｃｓ、Ｘｍｓ等の情報を制御部３５に与える。
【００７９】
制御部３５は、与えられたＸｃｃｓ、Ｘｍｓ等の情報を元にＨＳ−ＰＤＳＣＨ受信処理部３３に対して復調、逆拡散処理等のパラメータを設定する。
【００８０】
即ち、Ｘｃｃｓで通知された逆拡散コードのセットをＨＳ−ＰＤＳＣＨ受信処理部３３に与え、Ｘｍｓで通知された変調方式（ＱＰＳＫ、１６値ＱＡＭ）に応じた復調処理等を行うように制御する。
【００８１】
また、ＨＳ−ＳＣＣＨは、第２パートについても復号処理を施して、Ｘｔｂｓ、Ｘｈａｐ、Ｘｒｖ、Ｘｎｄ等の情報を抽出して、ＨＳ−ＰＤＳＣＨ受信処理部３３に与える。
【００８２】
ＨＳ−ＰＤＳＣＨ受信処理部３３は、第２パートに含まれるこれらの情報に従って、復号等の処理を実行する。
【００８３】
ＨＳ−ＰＤＳＣＨ受信処理部３３は、図５に示すように、復調部３３０、第２デレートマッチング処理部３３１、合成部３３２、記憶部３３３、（受信）品質評価部３３４、第１デレートマッチング処理部３３５、チャネル復号化部３３６、ＣＲＣチェック部（誤り検出部の一例）３３７、出力選択部３３８、制御部３３９を備えている。
【００８４】
復調部３３０は、先に述べたように、第１パートで通知される情報に従って、逆拡散処理等を含めた復調処理を実行する。
【００８５】
そして、第２デレートマッチング処理部３３１は、第２パートで通知されたＸｒｖに基づいて、無線基地局で行われた第２レートマッチング処理（第２レートマッチング部１８の処理）の逆の処理にあたる処理を実行する。尚、複数の拡散コードにて送信されている場合は、同時にそれらの多重も行う。
【００８６】
第２デレートマッチング処理部３３１の出力は、品質評価部３３４に与えられる。
【００８７】
受信品質評価部３３４は、制御部３３９（又は制御部３５）から新規受信であることを通知されているため、入力された新規受信データについての受信品質を評価する（但し、新規受信データについての受信品質の評価が不要であればこの処理は省略できる）。
【００８８】
例えば、軟判定データ（受信信号が各信号点を示す確からしさ）部分の平均値を求めて受信品質を評価する。尚、復調部３３０から新規受信データについての受信ＳＩＲを取得して新規受信データについての受信品質として評価することもできる。
【００８９】
受信品質評価部３３４で受信品質が評価された新規受信データは、記憶部３３３に記憶されるとともに、第１デレートマッチング処理部３３５に入力される。
【００９０】
尚、Ｘｈａｐにより通知されたプロセス毎に別個に合成を行なう必要があるため、記憶部３３３は、プロセス毎に異なる記憶領域を確保している。即ち、Ｘｈａｐにより第１プロセスであることが通知された場合は、第１プロセス用の記憶領域に受信データを記憶しておく、Ｘｈａｐにより第２プロセスであることが通知された場合は、第２プロセス用の記憶領域に受信データを記憶する。
【００９１】
第１デレートマッチング処理部３３５は、図３における無線基地局において施された第１レートマッチング処理の逆の処理にあたる処理を施し、その結果をチャネル復号化部３３６に出力する。
【００９２】
チャネル復号化部３３６は、デレートマッチング処理後の新規受信データについて復号化処理（例えば、ターボ復号化処理）を施して、ＣＲＣチェック部３３７に復号結果を出力する。
【００９３】
ＣＲＣチェック部３３７は、復号結果について、それに含まれるＣＲＣビットを用いて誤り検出処理を行う。
【００９４】
そして、ＣＲＣチェック部３３７は、ＣＲＣチェック結果を制御部３３９（制御部３５）へ通知するとともに、復号結果をそのまま出力選択部３３８に与える。
【００９５】
制御部３３８は、ＣＲＣチェック結果がエラー無しであれば、出力選択部３３８に復号結果を出力させ、エラー有りであれば、出力選択部３３８に復号結果を出力させないように制御する。
【００９６】
制御部３５は、出力選択部３３８からのＨＳ−ＰＤＳＣＨの復号結果及びＣＲＣチェック結果をＣＲＣチェック部３３７（制御部３３８）から受信し、ＣＲＣエラー有りであればＮＡＣＫ信号を、ＣＲＣエラー無しであればＡＣＫ信号を生成し、送信処理部３４に与える。
【００９７】
尚、ＣＲＣエラー無しであれば、そのデータに基づいた表示部への表示制御等の出力を可能とする。
【００９８】
送信処理部３４は、図１で示した対応するスロットにより、ＡＣＫ信号又はＮＡＣＫ信号を送信する。
・「データの再送信時の動作」
送信処理部３４にＡＣＫ信号が送信された場合は、次のデータの新規送信が図３の無線基地局から送信されることとなるが、ＮＡＣＫ信号が送信された場合は、同じデータに関する再送信が実行される。尚、再送信時には同一のデータが行われるとは限らず、送信側におけるレートマッチングパターンに応じて異なるデータ部分が再送信として送信されることとなる。
【００９９】
さて、復調部３３０は、先に述べたように、第１パートで通知される情報に従って、逆拡散処理等を含めた復調処理を実行する。
【０１００】
そして、第２デレートマッチング処理部３３１は、第２パートで通知されたＸｒｖに基づいて、無線基地局で行われた第２レートマッチング処理（第２レートマッチング部１８の処理）の逆の処理にあたる処理を実行する。尚、複数の拡散コードにて送信されている場合は、同時にそれらの多重も行う。
【０１０１】
第２デレートマッチング処理部３３１の出力は、受信品質評価部３３４及び合成部３３２に与えられる。
【０１０２】
受信品質評価部３３４は、制御部３３９（又は制御部３５）から再送受信であることを通知されているため、入力された再送受信データについての受信品質を前述同様の手法で評価する。
【０１０３】
また、受信品質評価部３３４は、制御部３３９（又は制御部３５）から再送受信であることを通知されているため、記憶部３３３に記憶された新規受信データが読み出され、合成部３３２で再送受信データと合成された結果である合成データについても、同様にして受信品質を評価する。
【０１０４】
尚、合成においては、合成対象のデータに同じビットに対応するデータがある場合は尤度（軟判定結果）を平均化したり、合成対象のデータに同じビットに対応するデータが無い場合は、足りないデータを補完するように合成する。
【０１０５】
従って、受信品質評価部３３４は、再送受信データ（又は合成データ）についての受信品質を評価しているため、この評価結果を制御部３３９に通知することができる。
【０１０６】
評価結果を通知された制御部３３９は、評価結果に応じてこの再送受信データ（又は合成データ）について、第１デレートマッチング処理部３３５における第１デレートマッチング処理や、チャネル復号部３３６における誤り訂正復号処理を実行するかどうか判定する。
【０１０７】
例えば、再送受信データ（又は合成データ）についての受信品質の評価結果が所定の基準値以下である場合は、再送受信データ（又は合成データ）について第１デレートマッチング処理や、誤り訂正復号処理を行わないように制御する（好ましくは第１デレートマッチング処理部３３５、チャネル復号部３３６への給電を停止する）のである。
【０１０８】
尚、誤り訂正復号処理を行わなかった場合は、制御部３５はやはりＮＡＣＫ信号を送信して、無線基地局に対して再送信を行うように促すこととする。
【０１０９】
但し、例えば、再送受信データ（又は合成データ）についての受信品質の評価結果が所定の基準値より大きい場合は、この合成データを第１デレートマッチング処理部３３５に入力する。
【０１１０】
第１デレートマッチング処理部３３５は、図３における無線基地局において施された第１レートマッチング処理の逆の処理にあたる処理を施し、その結果をチャネル復号化部３３６に出力する。
【０１１１】
チャネル復号化部３３６は、デレートマッチング処理後の合成データについて復号化処理（例えば、ターボ復号化処理）を施して、ＣＲＣチェック部３３７に復号結果を出力する。
【０１１２】
ＣＲＣチェック部は、復号結果について、それに含まれるＣＲＣビットを用いて誤り検出処理を行う。
【０１１３】
そして、ＣＲＣチェック結果を制御部３３９（制御部３５）へ通知するとともに、復号結果をそのまま出力選択部３３８に与える。
【０１１４】
制御部３３９は、ＣＲＣチェック結果がエラー無しであれば復号結果を出力選択部３３８に出力させ、ＣＲＣチェック結果がエラー有りであれば復号結果を出力選択部３３８に出力させない。
【０１１５】
制御部３５は、復号データ及びＣＲＣチェック結果を選択部３３８、ＣＲＣチェック部３３７（制御部３３９）から受信し、ＣＲＣエラー有りであればＮＡＣＫ信号を、ＣＲＣエラー無しであればＡＣＫ信号を生成し、送信処理部３４に与える。
送信処理部３４は、図１で示した対応するスロットにより、これらの信号を送信する。
【０１１６】
以上の実施形態では、再送受信データについての受信品質又合成データについての受信品質を評価し、その評価の結果に応じて、再送受信データ又は合成データについての復号を行うか否かの制御を行ったが、再送受信データについての受信品質（又は合成データについての受信品質）と、新規受信データについての受信品質との関係によって、再送受信データ（又は合成データ）についての復号を行うか否かの制御を行うこともできる。
【０１１７】
例えば、再送受信データについての受信品質（又合成データについての受信品質）が新規受信データについての受信品質に対して所定の程度で劣る場合には、再送受信データ（又は合成データ）についての復号を行わないようにに制御し、そうでない場合は、再送受信データ（又は合成データ）についての復号を行うように制御するのである。
【０１１８】
具体的には、（再送受信データについての受信品質）／（新規受信データについての受信品質）が１／Ｎ以下（Ｎは１より大きい数）である場合や、（新規受信データについての受信品質）−（再送受信データについての受信品質）が所定値以下の場合等である。
【０１１９】
尚、制御部３５は、不図示の受信処理部により、ＣＰＩＣＨの受信環境を測定（例えばＳＩＲを測定）し、その測定結果に応じてＣＱＩ情報を生成し、送信処理部３４へ与える。
【０１２０】
送信処理部３４は、図１で示したスロットによりＣＱＩ情報を定期的に送信する。このＣＱＩ情報に従って、基地局において、受信環境が良好であれば伝送速度が速くなる方向に適応制御がなされ、受信環境が良好でないのであれば伝送速度が遅くなる方向に適応制御がなされることは先に説明した通りである。
【０１２１】
以上のように、本実施形態では、誤り訂正復号処理をしても結果的に誤りが解消されないと想定される場合には、復号を行わないようにしたので、無線通信装置における消費電力が削減されることとなる。
【０１２２】
〔ｂ〕第２実施形態の説明
第２実施形態では、受信品質（軟判定尤度、受信ＳＩＲ等）が高いにも係わらず誤り訂正復号により誤りが解消されなかった受信データが、次の誤り訂正復号処理に与える影響度を下げることで、悪影響を低減する。
・「第１案」
即ち、第１案では、第１実施形態における「データの再送信時の動作」において、再送受信データについての受信品質又は合成データについての受信品質と、新規受信データについての受信品質との関係によって、再送受信データ又は合成データについての復号を行うか否かの制御を行う場合について説明したが、復号を行うか否かの制御ではなく、再送受信データを復号する（逆に合成受信データは復号しない）ように制御するのである。
【０１２３】
例えば、再送受信データについての受信品質又は合成データについての受信品質が新規受信データについての受信品質に対して所定の程度で劣る場合（具体的には、第１実施形態参照）には、合成データについての復号を行わないようにに制御し、再送受信データについての復号を行うように制御するのである。
【０１２４】
これにより、受信品質が相対的に高いにもかかわらず、誤り訂正復号結果がエラーとなってしまった新規受信データは用いず、再送データを用いて誤り訂正復号処理が実行されるため、誤り訂正復号をエラーに導く新規受信データの影響を抑制することができ、エラーの無い誤り訂正復号結果が得られる可能性が高まることとなる。
【０１２５】
尚、再送受信データについての受信品質又は合成データについての受信品質と新規受信データについての受信品質の関係だけではなく、新規受信データについての受信品質が高い受信品質基準を超えることをこのような制御を行う条件とすることもできる。
【０１２６】
これにより、受信品質が十分高いにもかかわらず、誤り訂正復号によりエラーが解消されなかったような問題を含む受信データの影響度を効果的に下げることができるからである。
【０１２７】
また、この実施形態では、再送受信データについて復号することとしたが、その際、制御部３３９は、記憶部３３３には、合成データではなく、再送受信データを記憶させることもできる。
【０１２８】
そして、再送受信データについての復号結果が、やはりエラー有りであることが、制御部３３９（制御部３５）で検出された場合は、再び再送信が実行されることとなるが、この場合は、再送信された受信データを記憶していた再送受信データと合成してから誤り訂正復号を行うように制御部３３９が合成部３３２、チャネル復号化部３３６等を制御するのである。
【０１２９】
これにより、問題のある新規送信データの影響を下げつつ、合成利得を得ることができるからである。
・「第２案」
第２案では、新規受信データを全く利用しないのではなく、影響度を下げてから利用することとする。
【０１３０】
例えば、再送受信データについての受信品質が新規受信データについての受信品質に対して所定の程度で劣る場合（具体的には、第１実施形態参照）には、合成部３３２は、記憶部３３３から読み出した新規受信データと再送受信データを合成する際に、新規受信データを１／ｎ（ｎは１より大きい数）倍して再送受信データと合成してから復号するように制御部３３９が制御するのである。
【０１３１】
この合成方法により、問題のある新規受信データの影響度が下がるからである。
【０１３２】
尚、ｎの値としては、（再送受信データの受信品質）／（新規受信データの受信品質）に相当する値とすることもできる。
【０１３３】
これにより受信品質ｎの比率に応じた影響度の制御ができるからである。
【０１３４】
尚、再送受信データについての受信品質と新規受信データについての受信品質の関係だけではなく、新規受信データについての受信品質が高い受信品質基準を超えることをこのような制御を行う条件とすることもできる。
・「第３案」
第３案では、合成時の合成方法を工夫することで、新規受信データの影響度を下げることとする。
【０１３５】
例えば、再送受信データについての受信品質が新規受信データについての受信品質に対して所定の程度で劣る場合（具体的には、第１実施形態参照）には、合成部３３２は、記憶部３３３から読み出した新規受信データと再送受信データを合成する際に、次のいずれか又は双方のアルゴリズムを適用する。
・「第１アルゴリズム」
新規受信データと再送受信データとの間で同じビットに対応するデータ部分がある場合は、その部分については、新規受信データに含まれるデータ（軟判定データ）ではなく、再送受信データに含まれるデータを用いるのである。
【０１３６】
即ち、再送受信時に記憶部３３３から読み出された新規受信データに含まれるデータ（軟判定データ）のうち、再送受信データに含まれるデータ部分については、合成部３３２は、新規受信データを再送受信データに置き換える合成を行うのである。
【０１３７】
これにより、第１デレートマッチング処理部３３５、チャネル復号化部３３６等は、この置換えを用いた合成がなされた後のデータに基づいて復号を行うのである。
【０１３８】
尚、記憶部３３３には、この置換えを用いた合成がなされた後のデータが次の再送受信データとの合成のために、記憶されることとなる。
【０１３９】
これにより再送受信データに含まれるデータ部分については、新規送信データの影響を受けないようにすることができる。
・「第２アルゴリズム」
新規受信データには含まれるが、再送受信データには含まれないビット部分が存在する場合は、その部分については、新規受信データに含まれるデータ（軟判定データ）を先に説明したのと同様に、１／Ｎ倍してから再送受信データと合成するのである。
【０１４０】
即ち、再送受信時に記憶部３３３から読み出された新規受信データに含まれるデータ（軟判定データ）のうち、再送受信データに含まれないデータ部分については、合成部３３２は、新規受信データ１／Ｎ倍してから再送受信データに合成（補完）する処理を行うのである。
【０１４１】
これにより、第１デレートマッチング処理部３３５、チャネル復号化部３３６等は、この合成（補完）がなされた後のデータに基づいて復号を行うのである。
【０１４２】
尚、記憶部３３３には、この合成（補完）がなされた後のデータが次の再送受信データとの合成のために、記憶されることとなる。
【０１４３】
これにより再送受信データが含まれないデータ部分については、新規送信データの影響度を下げながら使用することができる。
【図面の簡単な説明】
【０１４４】
【図１】ＨＳＤＰＡにおけるチャネル構成を示す図である。
【図２】ＨＳ−ＳＣＣＨの符号化部を示す図である。
【図３】送信装置（無線基地局）を示す図である。
【図４】本発明に係る通信装置（移動局）を示す図である。
【図５】ＨＳ−ＰＤＳＣＨ受信処理部を示す図である。
【符号の説明】
【０１４５】
１      符号化部
２      レートマッチング処理部
３      乗算器
４      ＣＲＣ演算部
５      乗算器
６      符号化部
７      レートマッチング処理部
８      符号化部
９      レートマッチング処理部
１０    制御部
１１    ＣＲＣ付加部
１２    ビットスクランブル部
１３    符号ブロック分割部
１４    チャネル符号化部
１５    ビット分離部
１６    第１レートマッチング部
１７    バーチャルバッファ部
１８    第２レートマッチング部
１９    ビット収集部
２０    物理チャネル分割部
２１    インタリーブ処理部
２２    コンスタレーション再配置部
２３    物理チャネルマッピング部
２４    拡散処理部
２５    変調部
２６    受信部
３０    アンテナ
３１    デュプレクサ
３２    ＨＳ−ＳＣＣＨ受信処理部
３３    ＨＳ−ＰＤＳＣＨ受信処理部
３４    送信処理部
３５    制御部
３３０  復調部
３３１  第２デレートマッチング処理部
３３２  合成部
３３３  記憶部
３３４  受信品質評価部
３３５  第１デレートマッチング処理部
３３６  チャネル復号化部
３３７  ＣＲＣチェック部
３３８  出力選択部
３３９  制御部
【図１】
2006129018.tif 000003
【図２】
2006129018.tif 000004
【図３】
2006129018.tif 000005
【図４】
2006129018.tif 000006
【図５】
2006129018.tif 000007